(57)【要約】【課題】簡単な構造でありながら、携帯用光源装置を内視鏡に確実に着脱でき、しかも確実に装着されたか否かを目視により確認できる内視鏡と携帯用光源装置の着脱構造を得る。【解決手段】携帯用光源装置３０の挿入部４３に設けた出没可能かつ突出方向に付勢された係止部材４５と、内視鏡１０に突設した筒状の光源接続筒状部１５の内周面に形成した案内溝１８及び係止部材を保持可能な貫通保持孔２２と、光源接続筒状部に設けた、貫通保持孔に嵌合する係止部材を係止部材の端面が光源接続筒状部の内周面より径方向内側に移動するまで押圧可能な離脱操作部２６と、を備える。【選択図】図２
2008220683.tif 000002
【特許請求の範囲】
【請求項１】
内視鏡に形成した光源接続筒状部と、
この光源接続筒状部に挿脱される発光挿入部を有する携帯用光源装置と、
該発光挿入部の外周面から径方向に出没可能にかつ突出方向に付勢させて設けた係止部材と、
上記光源接続筒状部の内周面に設けられ、一端部が該光源接続筒状部の開放端部に開口する、突出状態の上記係止部材を案内する案内溝と、
上記案内溝の他端部に形成した、該案内溝を介して光源接続筒状部に挿入された上記係止部材を嵌合保持可能な貫通保持孔と、
該貫通保持孔内に該貫通保持孔の径方向外方から移動自在に挿入され、該貫通保持孔に嵌合する上記係止部材を該貫通保持孔から上記径方向内側に脱出するまで押圧可能な離脱操作部と、
を備えることを特徴とする内視鏡と携帯用光源装置の着脱構造。
【請求項２】
請求項１記載の内視鏡と携帯用光源装置の着脱構造において、
上記光源接続筒状部に、上記係止部材が上記貫通保持孔に嵌合したときに上記離脱操作部が該係止部材の上記径方向外側の端面に当接するように、該離脱操作部材を上記径方向内側に移動付勢する付勢手段を設けた内視鏡と携帯用光源装置の着脱構造。
【請求項３】
請求項２記載の内視鏡と携帯用光源装置の着脱構造において、
上記係止部材を突出方向に付勢する付勢力が上記付勢手段の付勢力より強い内視鏡と携帯用光源装置の着脱構造。
【請求項４】
請求項３記載の内視鏡と携帯用光源装置の着脱構造において、
上記係止部材の上記突出方向の移動端を、該係止部材によって上記径方向外側に押圧された上記離脱操作部が上記貫通保持孔に止まる位置で規制する規制手段を備える内視鏡と携帯用光源装置の着脱構造。
【請求項５】
請求項１から４のいずれか１項記載の内視鏡と携帯用光源装置の着脱構造において、
上記案内溝が貫通溝である内視鏡と携帯用光源装置の着脱構造。
【請求項６】
請求項１から５のいずれか１項記載の内視鏡と携帯用光源装置の着脱構造において、
上記離脱操作部における上記係止部材の上記径方向外側の端面との対向端部が、該係止部材が上記案内溝から上記貫通保持孔に移動したときに該係止部材と接触する、先端に向かうにつれて縮径する縮径部である内視鏡と携帯用光源装置の着脱構造。
【請求項７】
請求項６記載の内視鏡と携帯用光源装置の着脱構造において、
上記縮径部が球体の一部をなす形状である内視鏡と携帯用光源装置の着脱構造。
【発明の詳細な説明】
【技術分野】
【０００１】
本発明は、内視鏡と携帯用光源装置の着脱構造に関する。
【背景技術】
【０００２】
携帯用光源装置を着脱可能な携帯型の内視鏡の従来例としては、例えば特許文献１に記載されたものがある。
この内視鏡１の操作部３の側面には雄ねじ部３ｃが設けてあり、携帯用光源装置（バッテリ型光源）５はこの雄ねじ部３ｃに螺合可能な取付けネジ２４を具備している。
従って、携帯用光源装置５の取付けネジ２４のねじ部（内周面）を内視鏡１の雄ねじ部３ｃに螺合すれば、携帯用光源装置５を内視鏡１に装着することができる。
【特許文献１】特許第３７０８３８７号公報
【発明の開示】
【発明が解決しようとする課題】
【０００３】
しかし、特許文献１のように携帯用光源装置５の取付けネジ２４を内視鏡１の雄ねじ部３ｃに螺合する作業及び螺合を解除する作業は決して容易ではなく、特に術者が補助者をおかずに一人で内視鏡１を操作する場合は確実に螺合及び解除を行うのが難しい。
さらに、携帯用光源装置５の取付けネジ２４と内視鏡１の雄ねじ部３ｃの螺合時に、雄ねじ部３ｃ及び取付けネジ２４のねじ部（内周面）が取付けネジ２４の外周部によって隠されてしまうので、術者は螺合状態を全く目視できない。
【０００４】
本発明は、簡単な構造でありながら、携帯用光源装置を内視鏡に確実に着脱でき、しかも確実に装着されたか否かを目視により確認できる内視鏡と携帯用光源装置の着脱構造を提供することを目的とする。
【課題を解決するための手段】
【０００５】
本発明の内視鏡と携帯用光源装置の着脱構造は、内視鏡に形成した光源接続筒状部と、この光源接続筒状部に挿脱される発光挿入部を有する携帯用光源装置と、該発光挿入部の外周面から径方向に出没可能にかつ突出方向に付勢させて設けた係止部材と、上記光源接続筒状部の内周面に設けられ、一端部が該光源接続筒状部の開放端部に開口する、突出状態の上記係止部材を案内する案内溝と、上記案内溝の他端部に形成した、該案内溝を介して光源接続筒状部に挿入された上記係止部材を嵌合保持可能な貫通保持孔と、該貫通保持孔内に該貫通保持孔の径方向外方から移動自在に挿入され、該貫通保持孔に嵌合する上記係止部材を該貫通保持孔から上記径方向内側に脱出するまで押圧可能な離脱操作部と、を備えることを特徴としている。
【０００６】
上記光源接続筒状部に、上記係止部材が上記貫通保持孔に嵌合したときに上記離脱操作部が該係止部材の上記径方向外側の端面に当接するように、該離脱操作部材を上記径方向内側に移動付勢する付勢手段を設けるのが好ましい。
【０００７】
付勢手段を設ける場合に、上記係止部材を突出方向に付勢する付勢力を該付勢手段の付勢力より強くするのがよい。
さらに、上記係止部材の上記突出方向の移動端を、該係止部材によって上記径方向外側に押圧された上記離脱操作部が上記貫通保持孔に止まる位置で規制するのがよい。
【０００８】
上記案内溝が貫通溝であるのが好ましい。
【０００９】
上記離脱操作部における上記係止部材の上記径方向外側の端面との対向端部が、該係止部材が上記案内溝から上記貫通保持孔に移動したときに該係止部材と接触する、先端に向かうにつれて縮径する縮径部であるのが好ましい。
【００１０】
上記縮径部が球体の一部をなす形状であるのが好ましい。
【発明の効果】
【００１１】
本発明によると、内視鏡に形成した光源接続筒状部に携帯用光源装置に形成した発光挿入部を挿入し、発光挿入部に設けた係止部材を光源接続筒状部の内周面に形成した案内溝を介して貫通保持孔に導くと、貫通保持孔に係止部材が嵌合することにより携帯用光源装置が内視鏡に固定される。従って、内視鏡に携帯用光源装置を簡単に取り付けることができる。
さらに、係止部材が貫通保持孔に嵌合した状態で離脱操作部を径方向内側に押し込み、該離脱操作部の先端部によって係止部材の先端を光源接続筒状部の内周面より径方向内側まで移動させると、係止部材と貫通保持孔の嵌合が解除されるので、発光挿入部を光源接続筒状部の軸線方向に移動させることにより、携帯用光源装置を内視鏡から簡単に取り外すことができる。
しかも、携帯用光源装置の光源接続筒状部に対する相対位置を目視により確認できるので、術者（作業者）は携帯用光源装置と内視鏡の接続状態を容易に把握することができる。
さらに、本発明の取付構造は簡単な構造なので、低コストで実現できる。
【００１２】
請求項２のように構成すれば、係止部材が貫通保持孔に嵌合したときに、離脱操作部の係止部材との対向端部が付勢手段の付勢力によって係止部材の先端面に当接するので、離脱操作部材のがたつきをなくすことができる。従って、離脱操作部材による係止部材と貫通保持孔の嵌合解除作業を容易に行えるようになる。
【００１３】
請求項３のように構成すれば、係止部材が貫通保持孔と重なる位置に達したときに、係止部材が離脱操作部を径方向外側に押圧しながら貫通保持孔に自動的に嵌合するので、内視鏡と携帯用光源装置の結合作業が容易になる。
【００１４】
請求項４のように構成すれば、係止部材が貫通保持孔に嵌合したときに、離脱操作部が貫通保持孔から外れない。そのため、その後に離脱操作部によって係止部材を貫通保持孔から脱出させる作業を容易に行うことが可能である。
【００１５】
請求項５のように構成すれば、係止部材が案内溝のどこに位置するかを目視できるので、内視鏡と携帯用光源装置の着脱作業をより一層容易に行えるようになる。
【００１６】
請求項６のように構成すれば、係止部材が案内溝から貫通保持孔に移動したときに、係止部材が離脱操作部の縮径部を押圧することにより、離脱操作部が径方向外側に自動的に移動するので、内視鏡と携帯用光源装置の装着作業をより一層容易に行えるようになる。
【００１７】
請求項７のように構成すれば、係止部材が離脱操作部の縮径部に接触したときの抵抗をより小さくできるので、内視鏡と携帯用光源装置の装着作業をより一層容易に行えるようになる。
【発明を実施するための最良の形態】
【００１８】
以下、本発明の一実施形態について添付図面を参照しながら説明する。
図１に示すように、本実施形態の内視鏡１０は医療用の携帯型の内視鏡であり、操作者が把持する操作部１１と、操作部１１から前方に延出する可撓性のある挿入部１２と、操作部１１の後端部に連続する接眼部１３と、を備えている。挿入部１２の先端面には図示を省略した照明用レンズと対物レンズが設けてあり、操作部１１及び挿入部１２の内部にはその先端が照明用レンズに接続する導光ファイバ１４と、その先端が対物レンズに接続し後端が接眼部１３に接続するイメージガイドファイバ（図示略）が配設してある。後述するランプ３６から導光ファイバ１４に光が供給されると、この光は導光ファイバ１４及び照明用レンズを介して挿入部１２の先端面から外部に照射される。さらに、対物レンズで被写体（患者の患部等）を観察すると、この被写体像が対物レンズ及びイメージガイドファイバを介して接眼部１３に伝わるので、術者は接眼部１３を覗くことにより被写体像を観察できる。
【００１９】
図示するように操作部１１の側面には端部が開口する筒状の光源接続筒状部１５が突設してある。図３に示すように、光源接続筒状部１５の内部には互いに同心をなす大径空間部１６及び小径空間部１７が同軸的に形成してあり、小径空間部１７の底部には導光ファイバ１４の端部に接続する集光レンズＬ１が設けてある。
図１、図２及び図３等に示すように、光源接続筒状部１５の内周面にはその開口端部から延びるカム溝（案内溝）１８が貫通溝として周方向に１８０°間隔で一対形成してある。両カム溝１８は、光源接続筒状部１５の軸線と平行な導入部１９と、導入部１９から操作部１１側に向かって傾斜しながら延びる傾斜部２０と、傾斜部２０の先端から光源接続筒状部１５の開口端部側に僅かに戻りながら延びる戻り部２１と、を具備している。さらに戻り部２１の先端には戻り部２１に連続する略円形の貫通保持孔２２が形成してある。
さらに、光源接続筒状部１５の外周面には周方向に１８０°間隔で一対の板ばね２４の基端部が固定ピン２３によって固定してある。両板ばね２４の略円形の先端部は貫通保持孔２２と対向しており、この先端部から光源接続筒状部１５の径方向内側に向かって一対の当接片２５が突設してある。板ばね２４の先端部は板ばね２４の付勢力によって常に光源接続筒状部１５の径方向内側に付勢されているので、常時は一対の当接片２５が光源接続筒状部１５の外周面に当接し板ばね２４のそれ以上の光源接続筒状部１５側への弾性変形を規制している。さらに、板ばね２４の先端部の光源接続筒状部１５との対向面には貫通保持孔２２に対して出没可能な略円柱形状のリリースピン（離脱操作部）２６が突設してある。リリースピン２６の先端部は球体の一部を切り取った形状の縮径部２７となっている。
【００２０】
光源接続筒状部１５に着脱される携帯用光源装置３０は、図２、図３及び図７に示すように中空の筒状体である。携帯用光源装置３０は大きな構成要素として基部３１と、基部３１の開口端部に着脱自在な蓋部３２と、を有している。基部３１の内部には乾電池Ｂを収納するための電池収納空間３３が形成してあり、電池収納空間３３の一方の端部には乾電池Ｂの陽極と接触する陽極側電気接片３５が設けてある。基部３１の光源接続筒状部１５側の端部には３枚のレンズからなる集光レンズＬ２が設けてある。さらに、基部３１の内部空間には、集光レンズＬ２と陽極側電気接片３５の間に位置するランプ３６が設けてある。このランプ３６の陽極は陽極側電気接片３５と電気的に接続している。
【００２１】
蓋部３２の内部には、蓋部３２を基部３１に装着したときに乾電池Ｂの陰極と接触する陰極側電気接片３７が設けてある。さらに蓋部３２の内部には、陰極側電気接片３７及びランプ３６の陰極と接続する内部スイッチ３９が設けてある。この内部スイッチ３９は、そのボタン４０が一回押し込まれるごとに、ランプ３６の陰極と陰極側電気接片３７の間の電気の流れを許容するＯＮ状態と、ランプ３６の陰極と陰極側電気接片３７の間の電気の流れを遮断するＯＦＦ状態とに切り替わる。蓋部３２の端部には、蓋部３２に対して蓋部３２の軸線方向にスライド可能なスライドスイッチ４２が設けてある。このスライドスイッチ４２はコイル圧縮ばねＳ１によって常に突出方向に付勢されている。このスライドスイッチ４２をコイル圧縮ばねＳ１の付勢力に抗して押し込むと、スライドスイッチ４２によってボタン４０が押し込まれるので、スライドスイッチ４２を一回押し込むごとに内部スイッチ３９がＯＮ状態とＯＦＦ状態に切り替わる。
【００２２】
基部３１の光源接続筒状部１５側の端部近傍部分である挿入部（発光挿入部）４３には、周方向に１８０°間隔で一対の凹部４４が凹設してある。両凹部４４には略円柱形状のカムピン（係止部材）４５が凹部４４内に出没自在（径方向に移動自在）として設けてある。さらに、カムピン４５と凹部４４の底部の間にはカムピン４５を突出方向に付勢するコイル圧縮ばねＳ２が縮設してある。このカムピン４５の径は光源接続筒状部１５の貫通保持孔２２より小径である。さらに、図４〜図６に詳しく示すように、両カムピン４５の端部にはカムピン４５より大径の円盤部４６（規制手段）が設けてあり、この円盤部４６の外周部が、凹部４４の開口端部に挿入部４３と一体的に形成された環状突部４７（規制手段）に当接することにより、両カムピン４５の径方向外側の移動端は図４〜図６に示す位置に規制されている。さらに、基部３１の挿入部４３は光源接続筒状部１５の大径空間部１６より小径であり、基部３１の挿入部４３より先端側の部分（発光挿入部の一部）は光源接続筒状部１５の小径空間部１７より小径である。
【００２３】
次に内視鏡１０と携帯用光源装置３０の着脱要領及び、装着時における携帯用光源装置３０の使用要領について説明する。
最初に携帯用光源装置３０の内視鏡１０への装着要領について説明する。
まず、基部３１から蓋部３２を取り外した状態で基部３１の電池収納空間３３に乾電池Ｂを収納し、その後に基部３１に蓋部３２を接続する。そして、図３に示すように携帯用光源装置３０を内視鏡１０の光源接続筒状部１５に接近させて、基部３１の挿入部４３を光源接続筒状部１５の大径空間部１６に挿入し、基部３１の挿入部４３より先端側の部分を光源接続筒状部１５の小径空間部１７に挿入する。
このとき、携帯用光源装置３０の一対のカムピン４５と光源接続筒状部１５の一対のカム溝１８の導入部１９の周方向位置を一致させ、一対のカムピン４５を一対の導入部１９にそれぞれ嵌合する。一対のカムピン４５が一対の導入部１９に嵌合した状態で、携帯用光源装置３０を捻りながらさらに光源接続筒状部１５側に移動させると、一対のカムピン４５が対応する傾斜部２０及び戻り部２１に案内され最終的に貫通保持孔２２に嵌合する。このとき、図４及び図５に示すように、カムピン４５が戻り部２１から貫通保持孔２２に嵌合しようとすると、カムピン４５がリリースピン２６の縮径部２７に当接し、板ばね２４より強いコイル圧縮ばねＳ２の付勢力によってカムピン４５が縮径部２７を径方向外側に押圧する。縮径部２７は球体の一部を切り取った形状なので、この際のカムピン４５と縮径部２７の接触抵抗は極めて小さく、従ってリリースピン２６及び板ばね２４は板ばね２４の付勢力に抗して径方向外側に極めて円滑に移動する。そして、カムピン４５が貫通保持孔２２に嵌合すると板ばね２４の付勢力によって縮径部２７がカムピン４５の端面に弾性的に接触する。このとき、カムピン４５の径方向外側の移動端は円盤部４６と環状突部４７によって図４〜図６に示す位置に規制されているので、図５に示すようにリリースピン２６の径方向内側の端部は貫通保持孔２２内に止まる。このようにして一対のカムピン４５が対応する貫通保持孔２２に嵌合すると、貫通保持孔２２によってカムピン４５が貫通保持孔２２から抜け出すのが防止される。
この状態で、携帯用光源装置３０のスライドスイッチ４２をコイル圧縮ばねＳ１に抗して一回押し込めば内部スイッチ３９がＯＦＦ状態からＯＮ状態に切り替わるのでランプ３６が点灯する。ランプ３６で発生した光は集光レンズＬ２及び集光レンズＬ１を介して導光ファイバ１４に伝わり、内視鏡１０の挿入部１２の先端に設けた上記照明用レンズから外部に照射される。
【００２４】
次に、携帯用光源装置３０の内視鏡１０からの取り外し要領について説明する。
この場合は術者が手で一対の板ばね２４の先端部を径方向内側に押し込む。すると、図６に示すように一対の板ばね２４と一体化しているリリースピン２６の縮径部２７が一対のカムピン４５及び円盤部４６をコイル圧縮ばねＳ２の付勢力に抗して凹部４４内に押し込むので、カムピン４５の先端面位置が光源接続筒状部１５の大径空間部１６の内周面より内周側に移動する。従って、この状態で携帯用光源装置３０を図７の矢線方向に直線的に移動させれば、一対のカムピン４５の先端面が大径空間部１６の内周面に接触しながら携帯用光源装置３０が光源接続筒状部１５に対してスライドし、カムピン４５が光源接続筒状部１５の外側に移動すると、コイル圧縮ばねＳ２の付勢力によって一対のカムピン４５が元の突出状態に復帰し、携帯用光源装置３０をさらに矢印方向に移動させれば携帯用光源装置３０を光源接続筒状部１５から完全に抜き取ることができる。
【００２５】
以上説明したように本実施形態によれば、携帯用光源装置３０を光源接続筒状部１５に対して簡単に着脱できるので、仮に術者が補助者を伴わずに一人で診察を行う場合であっても、術者は携帯用光源装置３０を内視鏡１０に簡単かつ円滑に着脱できる。
しかも、カムピン４５が板ばね２４の裏側に隠れる位置まで移動すれば、カムピン４５は貫通保持孔２２に嵌合することになるので、術者はカムピン４５が板ばね２４の裏側に隠れる位置まで移動することを目視することにより、携帯用光源装置３０と内視鏡１０の接続状態を容易に把握することができる。
さらに、本発明の内視鏡１０と携帯用光源装置３０の取付構造は簡単な構造なので、低コストで実現することができる。
【００２６】
さらに、カムピン４５が貫通保持孔２２に嵌合したときに板ばね２４の付勢力によってリリースピン２６（縮径部２７）がカムピン４５の先端面に弾性的に接触するので、リリースピン２６のがたつきをなくすことができる。しかも、携帯用光源装置３０に光源接続筒状部１５を接続した際にリリースピン２６がカムピン４５によって径方向外側に押圧されても、リリースピン２６の径方向内側の端部は貫通保持孔２２内に止まる。そのため、携帯用光源装置３０が光源接続筒状部１５に接続した状態において板ばね２４及びリリースピン２６を利用したカムピン４５と貫通保持孔２２の嵌合解除作業を容易に行なうことができる。
【００２７】
さらに、カム溝１８を貫通溝として成形したので、携帯用光源装置３０の光源接続筒状部１５への着脱作業時にカムピン４５がどこに位置しているかを目視により確認でき、しかも、携帯用光源装置３０の内視鏡１０への装着時にカムピン４５によってリリースピン２６を自動的に径方向外側に移動させることができるので、携帯用光源装置３０と光源接続筒状部１５の着脱作業をより一層容易に行なうことが可能である。
【００２８】
以上、上記実施形態を利用して本発明を説明したが、本発明は上記実施形態に限定されるものではなく、様々な変更を施しながら実施可能である。
例えば、リリースピン２６の縮径部２７を円錐形状として実施してもよい。
さらに、カムピン４５全体あるいはカムピン４５の外側端面（縮径部２７との接触面）の色を、板ばね２４と明確に区別できる板ばね２４とは異なる色に着色してもよい。このようにすれば術者はカムピン４５が板ばね２４の裏側に隠れたことをより確実に認識できるので、携帯用光源装置３０と内視鏡１０の接続状態を容易に把握できるようになる。
また、カム溝１８、貫通保持孔２２、板ばね２４（固定ピン２３）、カムピン４５及び圧縮コイルばねＳ２を周方向に１８０°間隔で一対としたが、これらを３つ以上の複数とし周方向に等角度間隔で設けても良い。さらに、光源接続筒状部１５による携帯用光源装置３０の保持力が低下してしまうが、カム溝１８、貫通保持孔２２、板ばね２４（固定ピン２３）、カムピン４５及び圧縮コイルばねＳ２を一つのみとして実施してもよい。
さらに、カム溝１８を貫通溝として成形したが、光源接続筒状部１５の内周面に有底溝として成形してもよい。
さらに、本実施形態の内視鏡１０は医療用の内視鏡であるが、工業用の内視鏡等、用途の異なる内視鏡に適用できるのは勿論である。
【図面の簡単な説明】
【００２９】
【図１】本発明の一実施形態の内視鏡の全体図である。
【図２】光源取付部に携帯用光源装置を接続した状態の平面図である。
【図３】光源取付部から携帯用光源装置を取り外したときの横断平面図である。
【図４】携帯用光源装置の光源取付部への接続が完了する直前における光源取付部及び携帯用光源装置を展開した状態で示す横断面図である。
【図５】携帯用光源装置の光源取付部への接続が完了したときの光源取付部及び携帯用光源装置を展開した状態で示す横断面図である。
【図６】板ばね及びリリースピンを径方向内側に押し込むことにより、カムピンを貫通保持孔から径方向内側に脱出させた状態を示すための光源取付部及び携帯用光源装置を展開した状態で示す横断面図である。
【図７】光源取付部に携帯用光源装置を装着したときの横断平面図である。
【符号の説明】
【００３０】
１０    内視鏡
１１    操作部
１２    挿入部
１３    接眼部
１４    導光ファイバ
１５    光源接続筒状部
１６    大径空間部
１７    小径空間部
１８    カム溝（案内溝）
１９    導入部
２０    傾斜部
２１    戻り部
２２    貫通保持孔
２３    固定ピン
２４    板ばね（付勢手段）
２５    当接片
２６    リリースピン（離脱操作部）
２７    縮径部
３０    携帯用光源装置
３１    基部
３２    蓋部
３３    電池収納空間
３５    陽極側電気接片
３６    ランプ
３７    陰極側電気接片
３９    内部スイッチ
４０    ボタン
４２    スライドスイッチ
４３    挿入部（発光挿入部）
４４    凹部
４５    カムピン（係止部材）
４６    円盤部（規制手段）
４７    環状突部（規制手段）
Ｂ      乾電池
Ｌ１    集光レンズ
Ｌ２    集光レンズ
Ｓ１  Ｓ２  圧縮コイルばね
【図１】
2008220683.tif 000003
【図２】
2008220683.tif 000004
【図３】
2008220683.tif 000005
【図４】
2008220683.tif 000006
【図５】
2008220683.tif 000007
【図６】
2008220683.tif 000008
【図７】
2008220683.tif 000009